(57)【要約】【課題】    釣り糸の引き出しがスムーズで構造が簡単な釣り糸用ケースを提供すること。【解決手段】  本願の釣り糸ケース１は、上方に開口を有する収納部２とこの収納部２の開口を閉塞して内部に収納空間Ｓを形成する蓋３を有するケース体４と、このケース体４の収納空間Ｓに回転可能に収納したスプール５を有している。ケース体４の収納部２の内側底部にスプール５の回動を規制するランダムに繊維が突出した起毛部６ｂを有する布帛６が設けられ、収納したスプール５に接触して惰性回転を防止する。【選択図】        図２
2010035444.tif 000002
【特許請求の範囲】
【請求項１】
スプールを回転可能にケースに収納し、前記スプールまたは前記ケースの少なくとも一方に起毛した繊維を有する布帛を取り付け、前記布帛の起毛した繊維が他方に接触して前記スプール回転を規制することを特徴とする釣り糸用ケース。
【請求項２】
布帛はスプールまたはケースの回転中心に設けたことを特徴とする請求項１に記載の釣り糸用ケース。
【発明の詳細な説明】
【技術分野】
【０００１】
本発明は、釣り糸を巻回するスプールを収納した釣り糸用ケースに関する。
【背景技術】
【０００２】
従来から釣り糸が巻回されたスプールをケース内に回転可能に収納した釣り糸スプールケースが使用されている。
釣り人はケースにスプールを収納したままケース内でスプールを回転させて釣り糸を引き出して必要な分の釣り糸を取り出して釣りに使用している。
【０００３】
しかしながら、従来の釣り糸用ケースでは、ケース内でスプールを回転させて釣り糸を引き出す時に強く引くとケース内でスプールが必要以上に回転してしまいバックラッシュが起こって釣り糸が絡んでしまうという欠点があった。
【０００４】
これに対し、特許文献１には、ケース内にスプールを収納し、ケースとスプールが互いに凹凸で接しながらスプールが回転して惰性回転を防止した釣り糸用リール装置（釣り糸用スプールを収納したケース）が紹介されている。
しかし、この釣り糸用リール装置は、スプールがクリック機構によって節度回転するため引き出しがスムーズではなく、構造が複雑になりクリック機構に糸が絡んでしまう虞があった。
【特許文献１】特開平８−２５６６５３号公報
【発明の開示】
【発明が解決しようとする課題】
【０００５】
解決しようとする課題は、従来の釣り糸用ケースは、構造が複雑で、釣り糸の引き出しがスムーズでないことである。
【０００６】
本発明の目的は前記欠点に鑑み、釣り糸の引き出しがスムーズで構造が簡単な釣り糸用ケースを提供することである。
【課題を解決するための手段】
【０００７】
上記課題を解決するために、
請求項１に係わる本発明は、スプールを回転可能にケースに収納し、前記スプールまたは前記ケースの少なくとも一方に起毛した繊維を有する布帛を取り付け、前記布帛の起毛した繊維が他方に接触して前記スプール回転を規制することを要旨とするものである。
請求項２に係わる本発明は、布帛はスプールまたはケースの回転中心に設けたことを要旨とするものである。
【発明の効果】
【０００８】
本発明の請求項１によると、ケースに収納したスプールからバックラッシュを防止しながらスムーズに釣り糸を引き出すことができる。
本願の請求項２によると、布帛はスプールまたはケースの回転中心に設けたので片寄りなく布帛が当たるためスプールの回転が良好でスムーズに釣り糸を引き出すことができる。
【発明を実施するための最良の形態】
【０００９】
以下、本発明の実施形態を図面に基づき説明すると、図１から図４は本願の第１実施例で、図１は釣り糸用ケースの全体図、図２は釣り糸ケースを開いた状態の全体図、図３は釣り糸ケースの断面図、図４は釣り糸ケースの変形例の断面図である。
【００１０】
本願の釣り糸ケース１は、上方に開口を有する収納部２とこの収納部２の開口を閉塞して内部に収納空間Ｓを形成する蓋３を有するケース体４と、このケース体４の収納空間Ｓに回転可能に収納したスプール５を有している。
【００１１】
ケース体４の収納部２と蓋３は合成樹脂等で形成され、蓋３は、収納体２に回動軸Ｋで回動可能に保持され収納部２の開口を開閉可能に閉塞している。
また、収納部２に凹状の係止部２ａを形成し、蓋３に凸状の係合部３ａを形成し、蓋３を閉じたときに、収納部２の係止部２ａに蓋３の係合部３ａがその可撓性によって変形して互いに係合して閉塞状態が維持されるようになっている。
【００１２】
ケース体４内部の収納空間Ｓには回動可能に釣り糸Ｔが巻回されたスプール５が収納されている。
スプール５は、左右側面の一側が平面状に形成された載置面５ａとなっている。
【００１３】
ケース体４内部の収納空間Ｓに収納されたスプール５に巻回された釣り糸Ｔの先端側はケース体４の収納部２と蓋３に形成された釣り糸Ｔの引き出し口２ｂ、３ｄからケース体４の外側に引き出される。
引き出し口２ｂ、３ｄから引き出された釣り糸Ｔは引き出し口２ｂ、３ｄに保持された一対の狭持片２ｃ、２ｃ間を通過しており、狭持片２ｃ、２ｃに狭持されて移動が規制されている。
【００１４】
ケース体４の収納部２の内側底部にスプール５の回動を規制する規制体の布帛６が設けられている。
布帛６は、合成樹脂繊維や天然繊維で形成され、中央側に孔６ｈを有する円形に形成され、ケース体４の収納部２の内側底部に貼着されている。
布帛６は、ケース体４の収納部２の内側底部の中央側に配され、ケース体４の収納部２の内側底部中央に設けた突部２ｄが孔６ｈ内に納まり位置決めされる。
なお、ケース体４の収納部２の布帛６を設けた位置がスプール５の回動中心Ｃとなっている。
【００１５】
布帛６は、図３のようにケース体４の収納部２の底部側が織布部６ａで形成され、収納空間Ｓに向かって織布部６ａから立ち上がるようにしてランダムに繊維が突出した起毛部６ｂが形成されている。
布帛６はケース体４に収納したスプール５が収納部２の底部に間隙を有して支持するようになっている
【００１６】
ケース体４にスプール５を収納するとスプール５の平面状の載置面が布帛６の起毛部６ｂに当接し、支持される。
この状態で釣り糸Ｔを引き出すとケース体４内でスプール５が回動される。
この時、起毛部６ｂの多数の繊維は、繊維間に空間を維持し、弾性的にスプール５を支持するためがたつきが防止されてスムーズに回動される。
一方、釣り糸Ｔを強く引いて、スプール５が惰性回転したときは起毛部６ｂの多数の繊維がスプール５の回動を緩やかに止めるようになっている。
【００１７】
従って、釣り糸Ｔの引き出しにおいては、スムーズに行うことができ、また、惰性回転を速やかに止めてバックラッシュが防止される。
【００１８】
図４は、本願第１実施例の釣り糸ケース１の布帛６の変形例で、起毛部６ｃは、織布部６ａからループ状に突出する多数の繊維を有している。
このような布帛６においても同様に、スプール５はスムーズに回動され、ループ状の繊維によってより効果的に惰性回転を止めることができ、起毛部６ｃの耐久性も向上する。
【００１９】
また、図５は、本願の第２実施例で釣り糸ケース１を開いた状態の全体図である。
【００２０】
第２実施例では、布帛６がスプール５の載置面に貼着されて起毛部６ｂ（または起毛部６ｃ）がケース体４の収納部２の内側底面に向けて突出している。
ケース体４の収納部２は布帛６を有しておらず、中央側に凸部２ｄが突出した平面状に形成されている。
【００２１】
このように布帛６がスプール５に取り付けられた場合でも、ケース体４にスプール５を収納すると、起毛部６ｂ（または起毛部６ｃ）がケース体４の収納部２の内側底面に当接してスプール５はスムーズに回動し、また、惰性回転したときは起毛部６ｂの多数の繊維がスプール５の回動を緩やかに止めるようになっている。
【００２２】
なお、本願の釣り糸用ケース１は、収納部２に蓋３が回動して閉塞するようにしたが、スプール５が回動可能に収納できれば他の構造としてもよい。
【産業上の利用可能性】
【００２３】
本発明は、釣り糸ケース全般に利用できる。
【図面の簡単な説明】
【００２４】
【図１】本願の第１実施例で、釣り糸用ケースの全体図である。
【図２】同、釣り糸ケースを開いた状態の全体図である。
【図３】同、釣り糸ケースの断面図である。
【図４】同、釣り糸ケースの変形例の断面図でである。
【図５】本願の第２実施例で、釣り糸ケースを開いた状態の全体図である。
【符号の説明】
【００２５】
１  釣り糸ケース
４  ケース体
５  スプール
６  布帛
６ａ  織布部
６ｂ、６ｃ  起毛部
【図１】
2010035444.tif 000003
【図２】
2010035444.tif 000004
【図３】
2010035444.tif 000005
【図４】
2010035444.tif 000006
【図５】
2010035444.tif 000007